(57)【特許請求の範囲】
【請求項１】
複数種類の食器に入れられて重量に応じて価格が変動する商品を自動精算する自動精算システムであって、
商品が入れられた食器に取り付けられ、前記商品の固有の識別情報と前記食器の種類毎の固有の識別情報とが読み取り可能に書き込まれたＩＣタグと、
前記商品が入れられた食器の重量を計測する重量測定器と、
予め前記食器の種類毎の識別情報とその重量とが対応づけて登録され、前記商品の単位重量当たりの価格と、当該商品が入れられた食器に取り付けられたＩＣタグに書き込まれた当該商品の識別情報及び当該食器の識別情報と、前記重量測定器にて計測された当該商品が入れられた食器の重量から当該食器の識別情報に対応づけられた重量を引いて得られる当該商品の重量とを対応づけてデータベースに登録する管理サーバと、
前記ＩＣタグから前記商品の識別情報と前記食器の識別情報とを読み取る読取り装置と、
前記読取り装置にて読み取られた前記商品の識別情報と前記食器の識別情報とに対応づけて前記データベースに登録された商品の単位重量当たりの価格と前記商品の重量とに基づいて算出された価格で精算を行う精算装置とを有する自動精算システム。
【請求項２】
請求項１に記載の自動精算システムにおいて、
前記管理サーバは、前記商品の単位重量当たりの価格と、当該商品が入れられた食器に取り付けられたＩＣタグに書き込まれた当該商品の識別情報とを対応づけて登録しておき、前記重量測定器にて計測された商品が入れられた食器の重量が与えられた場合、当該重量から当該食器の識別情報に対応づけられた重量を引いて得られる当該商品の重量を、前記データベースに登録された識別情報のうち、当該商品が入れられた食器の重量とともに与えられた当該商品の識別情報と当該食器の識別情報とに対応づけて前記データベースに登録する自動精算システム。
【請求項３】
請求項１または請求項２に記載の自動精算システムにおいて、
前記精算装置は、前記データベースに登録された商品の単位重量当たりの価格と前記商品の重量とに基づいて前記商品の価格を算出し、該算出した価格を表示する自動精算システム。
【発明の詳細な説明】
【技術分野】
【０００１】
本発明は、重量に応じて価格が変動する商品を自動精算する自動精算システムに関する。
【背景技術】
【０００２】
近年、市場ではＩＣタグを用いた商品管理が行われている。このようなＩＣタグを用いた自動精算システムが特許文献１に開示されている。特許文献１に開示されたシステムは、商品の容器にＩＣタグを取り付けておき、商品の重量を計測してその重量情報をＩＣタグに書き込み、ＩＣタグに書き込まれた情報を読み出すことにより、精算を行うものである。これにより、重量に応じて価格が変動する商品を自動精算することができるようになる。
【先行技術文献】
【特許文献】
【０００３】
【特許文献１】特開２００７−３１０８０４号公報
【発明の概要】
【発明が解決しようとする課題】
【０００４】
しかしながら、上述したような自動精算システムにおいては、商品の重量情報をＩＣタグに書き込む必要があるため、ＩＣタグに重量情報を書き込むための書き込み装置が必要となり、システム全体が高価なものとなってしまうという問題点がある。
【０００５】
本発明は、上述したような技術が有する問題点に鑑みてなされたものであって、ＩＣタグに重量情報を書き込む装置を用いることなく、重量に応じて価格が変動する商品を自動精算することができる自動精算システムを提供することを目的とする。
【課題を解決するための手段】
【０００６】
上記目的を達成するために本発明は、
複数種類の食器に入れられて重量に応じて価格が変動する商品を自動精算する自動精算システムであって、
商品が入れられた食器に取り付けられ、前記商品の固有の識別情報と前記食器の種類毎の固有の識別情報とが読み取り可能に書き込まれたＩＣタグと、
前記商品が入れられた食器の重量を計測する重量測定器と、
予め前記食器の種類毎の識別情報とその重量とが対応づけて登録され、前記商品の単位重量当たりの価格と、当該商品が入れられた食器に取り付けられたＩＣタグに書き込まれた当該商品の識別情報及び当該食器の識別情報と、前記重量測定器にて計測された当該商品が入れられた食器の重量から当該食器の識別情報に対応づけられた重量を引いて得られる当該商品の重量とを対応づけてデータベースに登録する管理サーバと、
前記ＩＣタグから前記商品の識別情報と前記食器の識別情報とを読み取る読取り装置と、
前記読取り装置にて読み取られた前記商品の識別情報と前記食器の識別情報とに対応づけて前記データベースに登録された商品の単位重量当たりの価格と前記商品の重量とに基づいて算出された価格で精算を行う精算装置とを有する。
【発明の効果】
【０００７】
本発明は、以上説明したように構成されているので、ＩＣタグに重量情報を書き込む装置が不要となり、重量に応じて価格が変動する商品を自動精算するシステムのコストを削減することができる。
【図面の簡単な説明】
【０００８】
【図１】本発明の自動精算システムの実施の一形態を示す図である。
【図２】図１に示したデータベースに登録された情報の一例を示す図である。
【図３】図１に示したデータベースに重量情報が登録された状態を示す図である。
【図４】図１に示したデータベースに登録された情報の他の例を示す図であり、（ａ）は食器の種類毎に単価が登録されたマスターファイルを示す図、（ｂ）は食器単体毎の重量が登録されるマスターファイルを示す図である。
【発明を実施するための形態】
【０００９】
以下に、本発明の実施の形態について図面を参照して説明する。
【００１０】
図１は、本発明の自動精算システムの実施の一形態を示す図である。
【００１１】
本形態は図１に示すように、ＩＣタグ読取り装置１０ａ及び重量測定器２０と管理サーバ３０とがネットワーク８０ａを介して接続され、また、管理サーバ３０と精算装置となるＰＯＳレジスター４０とがネットワーク８０ｂを介して接続され、また、ＰＯＳレジスター４０とＩＣタグ読取り装置１０ｂとがネットワーク８０ｃを介して接続されて構成されている。
【００１２】
精算される商品７０が入れられる食器６０には、ＩＣタグ５０が貼付されている。このＩＣタグ５０には、貼付された食器６０に入れられた商品７０の種類を特定可能な情報と、食器６０を特定可能な情報とからなる、固有の識別情報が固有ＩＤとして読み取り可能に書き込まれている。
【００１３】
ＩＣタグ読取り装置１０ａは、この食器７０に貼付されたＩＣタグ５０から識別情報を読み取り、ネットワーク８０ａを介して管理サーバ３０に送信する。
【００１４】
重量測定器２０は、商品７０が入れられた食器６０が載置可能に構成され、商品７０の重量を計測し、その重量情報を、ネットワーク８０ａを介して管理サーバ３０に送信する。
【００１５】
管理サーバ３０は、商品の単位重量当たりの価格と、その商品に取り付けられたＩＣタグに書き込まれた識別情報とが対応づけて登録されたデータベース３１を有している。
【００１６】
ＩＣタグ読取り装置１０ｂは、食器７０に貼付されたＩＣタグ５０から識別情報を読み取り、ネットワーク８０ｃを介してＰＯＳレジスター４０に送信する。
【００１７】
ＰＯＳレジスター４０は、ＩＣタグ読取り装置１０ｂから送信されてきた識別情報に対応する商品の単位重量当たりの価格と重量情報とをネットワーク８０ｂを介して管理サーバ３０から取得し、商品の価格を算出して精算を行うものであって、表示部４１と決済端末４２とを有している。
【００１８】
以下に、上記のように構成された自動精算システムの動作について説明する。
【００１９】
管理サーバ３０においては、上述したように、商品の単位重量当たりの価格と、その商品に取り付けられたＩＣタグに書き込まれた識別情報とが対応づけられてデータベース３１に登録されている。
【００２０】
図２は、図１に示したデータベース３１に登録された情報の一例を示す図である。
【００２１】
図２に示すように、図１に示したデータベース３１においては、ＩＣタグ５０固有の識別情報となる固有ＩＤ１０１と、商品の単位重量当たりの価格情報１０２とが、互いに対応づけられてマスターファイル１００として登録されている。この固有ＩＤ１０１は、上述したように、商品７０の種類を特定可能な情報と食器６０を特定可能な情報とからなり、例えば、上位３桁が、商品７０の種類を特定可能な情報であり、下位４桁が、食器６０を特定可能な情報となっている。
【００２２】
社員食堂等において、重量に応じて価格が変動する商品７０を喫食する場合、食堂利用者が、ＩＣタグ５０が貼付された食器６０に商品７０を入れ、商品７０が入れられた食器６０を重量測定器２０に載せる。なお、重量測定器２０には、ＩＣタグ読取り装置１０ａが載せられているため、食堂利用者は、商品７０が入れられた食器６０をＩＣタグ読取り装置１０ａ上に載せることになる。
【００２３】
すると、ＩＣタグ読取り装置１０ａにおいて、ＩＣタグ５０に書き込まれている固有ＩＤが読み取られ、また、重量測定器２０において、商品７０の重さが測定され、これら固有ＩＤと重量情報とがネットワーク８０ａを介して管理サーバ３０に送信される。なお、重量測定器２０の重量値は、予め、食器６０とＩＣタグ読取り装置１０ａの重量を引いた値で０点補正されているものとする。なお、食器６０の種類によって重量が異なる場合は、予め、ＩＣタグ読取り装置１０ａの重量を引いた値で０点補正しておき、重量を測定するたびに、その測定値から食器６０の種類に応じた重量を引いてデータベース３１に重量値を登録するように構成する。この場合は、予め、管理サーバ３０に食器６０の種類毎の重量を登録しておく必要がある。また、管理サーバ３０においては、上述したように、固有ＩＤ１０１と、商品７０の単位重量当たりの価格情報１０２とがマスターファイル１００としてデータベース３１に予め登録されている。
【００２４】
固有ＩＤと重量情報とがネットワーク８０ａを介して管理サーバ３０に送信されると、管理サーバ３０において、ネットワーク８０ａを介してＩＣタグ読取り装置１０ａから送信されてきた固有ＩＤがデータベース３１のマスターファイル１００から検索される。そして、マスターファイル１００上に、ＩＣタグ読取り装置１０ａから送信されてきた固有ＩＤが存在した場合、その固有ＩＤによるレコードに、その固有ＩＤとともに送信されてきた重量情報が登録される。
【００２５】
図３は、図１に示したデータベース３１に重量情報が登録された状態を示す図である。
【００２６】
図３に示すように、図２に示した構成のデータベース３１に対して、送信されてきた重量情報１０３が登録されることになる。これにより、データベース３１においては、ＩＣタグの固有ＩＤ１０１と、商品の単位重量当たりの価格情報１０２と、商品の重量情報１０３とが対応づけて登録されることになる。
【００２７】
食堂利用者が、商品７０の喫食が終わると、ＩＣタグ読取り装置１０ｂを用いてＩＣタグ５０に書き込まれている固有ＩＤが読み取られる。
【００２８】
すると、ＩＣタグ読取り装置１０ｂにて読み取られた固有ＩＤは、ネットワーク８０ｃを介してＰＯＳレジスター４０に送信され、ＰＯＳレジスター４０において、ＩＣタグ読取り装置１０ｂからネットワーク８０ｃを介して送信されてきた固有ＩＤが管理サーバ３０に送信される。
【００２９】
管理サーバ３０においては、ＰＯＳレジスター４０からネットワーク８０ｂを介して送信されてきた固有ＩＤがデータベース３１のマスターファイル１００から検索される。そして、マスターファイル１００上に、ＰＯＳレジスター４０から送信されてきた固有ＩＤが存在した場合、その固有ＩＤに対応づけられた商品の単位重量当たりの価格情報１０２と、商品の重量情報１０３とが、ネットワーク８０ｂを介してＰＯＳレジスター４０に送信される。
【００３０】
ＰＯＳレジスター４０においては、管理サーバ３０からネットワーク８０ｂを介して送信されてきた商品の単位重量当たりの価格情報１０２と商品の重量情報１０３とに基づいて、商品７０の価格が算出され、算出された価格がＰＯＳレジスター４０の表示部４１に表示される。
【００３１】
そして、食堂利用者は、ＰＯＳレジスター４０に接続された決済端末４２を用いて、プリペイドカード等で決済を行うことになる。
【００３２】
このように、本形態においては、商品７０が入れられた食器６０にＩＣタグ５０を貼付しておくとともに、このＩＣタグ５０に書き込まれた固有ＩＤと商品７０の単位重量当たりの価格情報とを対応づけてデータベース３１に登録しておき、食堂を利用する際に、商品７０の重量情報をこの商品７０が入れられた食器６０に貼付されたＩＣタグ５０に書き込まれた固有ＩＤとともに管理サーバ３０に送信し、管理サーバ３０において、送信されてきた重量情報を固有ＩＤに対応づけてデータベース３１に登録し、その後、ＩＣタグ５０から固有ＩＤが読み取られた場合、この固有ＩＤに対応づけられた商品の単位重量当たりの価格と重量とに基づいて商品の価格を算出して決済する構成としたため、高価なライト機能を持ったＩＣタグリーダライタが不要となり、自動精算におけるシステムコストを削減することができる。
【００３３】
なお、本形態においては、ＰＯＳレジスター４０にて商品の単位重量当たりの価格と商品の重量とから価格を算出しているが、管理サーバ３０において商品の単位重量当たりの価格と商品の重量とから価格を算出し、これを固有ＩＤ毎にデータベース３１に登録しておき、この価格をＰＯＳレジスター４０に送信するようにしてもよい。この場合、図３に示した表に、固有ＩＤ毎に価格欄が設けられることになる。
【００３４】
（他の実施の形態）
図４は、図１に示したデータベース３１に登録された情報の他の例を示す図であり、（ａ）は、食器の種類毎、即ち商品の種類毎に単価が登録されたマスターファイルを示す図、（ｂ）は食器単体毎の重量が登録されるマスターファイルを示す図である。
【００３５】
ＩＣタグ５０に書き込まれる識別情報としては、上述したように商品７０の種類を特定可能な情報と食器６０を特定可能な情報とを１つの固有ＩＤとして構成するのではなく、これらを別個に構成することも考えられる。
【００３６】
その場合、図４に示すように、商品の種類毎に単価が登録されたマスターファイルと、食器単体毎の重量が登録されるマスターファイルとをデータベース３１に設定することが考えられる。
【００３７】
また、ＰＯＳレジスター４０にて商品の単位重量当たりの価格と商品の重量とから価格を算出するのではなく、管理サーバ３０にて商品の単位重量当たりの価格と商品の重量とから価格を算出し、これを食器単体別ＩＤ毎にデータベース３１に登録しておき、この価格をＰＯＳレジスター４０に送信するようにしてもよい。この場合、図４（ｂ）に示した表に、食器単体別ＩＤ毎に価格欄が設けられることになる。
【符号の説明】
【００３８】
１０ａ，１０ｂ    ＩＣタグ読取り装置
２０    重量測定器
３０    管理サーバ
３１    データベース
４０    ＰＯＳレジスター
４１    表示部
４２    決済端末
５０    ＩＣタグ
６０    食器
７０    商品
８０ａ〜８０ｃ    ネットワーク
１００    マスターファイル
１０１    固有ＩＤ
１０２    価格情報
１０３    重量情報
【図１】
0005451462.tif 000002
【図２】
0005451462.tif 000003
【図３】
0005451462.tif 000004
【図４】
0005451462.tif 000005